(57)【要約】      （修正有）【課題】静電気防止用履物装置を提供する。【解決手段】静電気防止用履物装置１００は、導電性靴下１０及び導電靴２０を備える。導電性靴下１０は導電靴２０内で着用し、且つ導電性靴下１０及び導電靴２０が有している導電装置により電気的接触を達成し、人体内の電荷を地面に伝導させる目的を実行する。導電性靴下１０は順につま先１１と、靴下本体１２と、かかと１３と、履き口１４と、を含み、つま先１１は靴下本体１２に連結し、靴下本体１２はかかと１３に連結していると共に履き口１４に連結し、導電領域１５が靴下本体１２に設けられ、且つ靴下本体１２の周面を包囲して環状を形成し、導電領域１５は導電材料で構成されている。導電靴２０の導電装置は、導電性ブロックと、複数本の導線と、導電性テープ３３と、を含む。導電靴２０の導電線と導電性靴下１０の導電領域１５とが接触し、導電回路が構成される。【選択図】図１
0003232818.tif 000002
【実用新案登録請求の範囲】
【請求項１】
導電性靴下は導電靴内で着用し、且つ前記導電性靴下及び前記導電靴が有している導電装置により電気的接触を達成し、人体内の電荷を地面に伝導させる目的を実行する静電気防止用履物装置であって、
前記導電性靴下は順につま先と、靴下本体と、かかとと、履き口と、を含み、前記つま先は前記靴下本体に連結し、前記靴下本体は前記かかとに連結していると共に前記履き口に連結し、導電領域は前記靴下本体に設けられ、且つ前記靴下本体の周面を包囲して環状を形成し、前記導電領域は導電材料で構成されていることを特徴とする静電気防止用履物装置。
【請求項２】
導電特性を有している紐が前記靴下本体の所定の位置箇所に編み込まれることで前記導電領域が形成されていることを特徴とする請求項１に記載の静電気防止用履物装置。
【請求項３】
導電特性を有している前記紐はスパッタリング方式により、不活性ガスが充満されている真空システム中で、高圧電場の作用により不活性ガスを電離させてイオン流を導電性金属材料に衝突させ、且つ前記導電性金属材料の原子または分子を紐に沈殿成長させる方式で形成されていることを特徴とする請求項２に記載の静電気防止用履物装置。
【請求項４】
前記導電性金属材料は銅、銀、グラフェンであることを特徴とする請求項３に記載の静電気防止用履物装置。
【請求項５】
前記導電靴はアッパーと、中底と、外底と、を含み、前記中底は前記アッパーの底部に連接し、前記外底は前記中底の底部に連接し、前記中底には孔部が設けられ、前記外底には収容ユニットが設置され、前記収容ユニットの一端は前記孔部に連通し、他端は前記外底の外部に連通し、前記孔部及び前記収容ユニットの設置位置は前記導電性靴下の前記導電領域に対応する範囲内にあり、導電装置は導電性ブロックと、複数本の導線と、導電性テープと、を含み、前記導電性ブロックは導電材料で製造され、凹部及び前記凹部と連通している複数のスルーホールを有し、前記導電性ブロックは前記収容ユニットに設置され、各前記導線の両端は前記凹部を経由すると共に２つの前記スルーホール、前記収容ユニット、及び前記孔部を貫通した後に前記アッパー内部に進入し、前記導電性テープは前記中底の前記孔部及び前記複数本の導線を覆うように接着し、且つ前記複数本の導線に沿って設置され、前記複数本の導線が設置されている領域には導電作用を有していることを特徴とする請求項１に記載の静電気防止用履物装置。
【請求項６】
前記導電性靴下の前記導電領域は使用者の足の土踏まず及び土踏まずに対応している足の甲領域を包囲し、前記導電靴の前記収容ユニットは前記外底の中間箇所に設置され、前記孔部は前記中底の中間箇所に設けられ、前記導線は前記導電靴のアッパー内部の中間箇所から靴の履き口箇所に向けて延設され、前記導電靴の前記導線及び前記導電性靴下の前記導電領域により導電回路が構成されていることを特徴とする請求項５に記載の静電気防止用履物装置。
【請求項７】
前記導電性靴下の前記導電領域は使用者の足の土踏まず及び土踏まずに対応している足の甲領域を包囲し、前記導電靴の前記アッパーはタンをさらに備え、前記導電靴の前記収容ユニットは前記外底の中間箇所に設置され、前記孔部は前記中底の中間箇所に設けられ、前記導線は前記導電靴のアッパー内部の中間箇所から前記導電靴の前端に向けて延伸していると共に前記タンの内側に付着され、前記導電靴の前記導線及び前記導電性靴下の前記導電領域により導電回路が構成されていることを特徴とする請求項５に記載の静電気防止用履物装置。
【請求項８】
前記導線の両端は前記凹部を経由して２つの前記スルーホールを貫通する際に環状部分を形成し、前記環状部分は前記凹部中に掛着され、電荷を地面に伝導させる作用を実行することを特徴とする請求項５に記載の静電気防止用履物装置。
【請求項９】
前記導電性テープは少なくとも一側面に導電性粘着剤が塗布されていることを特徴とする請求項５に記載の静電気防止用履物装置。
【考案の詳細な説明】
【技術分野】
【０００１】
本考案は、静電防止効果を有する靴及び靴下に関し、更に詳しくは、静電気防止用履物装置に関する。
【背景技術】
【０００２】
静電気は物質系中の電荷が不均衡に分布することで起こる現象である。我々の日常生活の中でも多くの場所で静電気が発生し、自動車を例にすると、我々が車から降りてドアを閉める際に、身体とシートが接触しているため、車に乗り降りする際に身体とシートが摩擦することが原因で静電気が発生した。静電気には様々な害があり、ただ人に不快感を与えるだけではなく、人体に傷害を負わせることもあった。例えば、大部分の工業プロセスにおいて静電荷が蓄積すると、易燃性ガス、液体、及び粉塵の出し入れ及び輸送過程で引火し、火災や爆発事故が発生した。また、電子製品の部材が保護されていなければ、人体の静電気放電現象により損壊してしまうこともあり、静電防止は軽視できない問題であった。
【０００３】
そこで、本考案者は上記の欠点が改善可能と考え、鋭意検討を重ねた結果、合理的設計で上記の課題を効果的に改善する本考案の提案に至った。
【０００４】
本考案は前記技術的課題に鑑みて開発されたものであり、静電気防止用履物装置を提供することを目的とする。
【考案の概要】
【課題を解決するための手段】
【０００５】
上記課題を解決するために、本考案のある態様の静電気防止用履物装置は、導電性靴下は導電靴内で着用し、且つ前記導電性靴下及び前記導電靴が有している導電装置により電気的接触を達成し、人体内の電荷を地面に伝導させる目的を実行する。前記導電性靴下は順につま先と、靴下本体と、かかとと、履き口と、を含み、前記つま先は前記靴下本体に連結し、前記靴下本体は前記かかとに連結していると共に前記履き口に連結し、導電領域は前記靴下本体に設けられ、且つ前記靴下本体の周面を包囲して環状を形成し、前記導電領域は導電材料で構成されていることを特徴とする。
【０００６】
本明細書及び図面の記載により、少なくとも、以下の事項が明らかとなる。
【図面の簡単な説明】
【０００７】
【図１】本考案の一実施形態に係る静電気防止用履物装置を示す外観分解図である。
【図２】本考案の一実施形態に係る導電性靴下を示す外観斜視図である。
【図３】本考案の一実施形態に係る導電性靴下の底面を示す概略構成図である。
【図４】本考案の一実施形態に係る静電気防止用履物装置を示す縦断面模式図である。
【図５】本考案の一実施形態に係る静電気防止用履物装置を示す横断面模式図である。
【図６】本考案の他の実施形態に係る静電気防止用履物装置を示す縦断面模式図である。
【図７】本考案の他の実施形態に係る静電気防止用履物装置を示す横断面模式図である。
【考案を実施するための形態】
【０００８】
以下、本考案の実施の形態について、図面を参照して詳細に説明する。なお、本考案は以下の例に限定されるものではなく、本考案の要旨を逸脱しない範囲で、任意に変更可能であることは言うまでもない。
【０００９】
図１は本考案の一実施形態に係る静電気防止用履物装置１００を示す外観分解図であって、導電性靴下１０及び導電靴２０を備え、前記導電性靴下１０は前記導電靴２０内で着用し、且つ前記導電性靴下１０及び前記導電靴２０が有している導電装置３０により電気的接触を達成し、人体内の電荷を地面に伝導させる目的を実行する。
【００１０】
図２と図３を併せて参照し、前記導電性靴下１０は順につま先１１と、靴下本体１２と、かかと１３と、履き口１４と、を含む。前記つま先１１は前記靴下本体１２に連結し、前記靴下本体１２は前記かかと１３に連結していると共に前記履き口１４に連結している。一般的な靴下はショートソックスとロングソックスに区分され、前記靴下本体１２が前記履き口１４に連結する距離が短いものがショートソックスであり（本明細書の図面中ではショートソックスを示す）、前記靴下本体１２が前記履き口１４に連結する距離が長いものはロングソックス（図示省略）であり、上述の構造は一般的な靴下と同じであるため、その説明を省略する。
【００１１】
本考案の前記導電性靴下１０の特徴は、導電領域１５が前記靴下本体１２に設置され、前記導電領域１５が前記靴下本体１２の上下左右の四方の周面を包囲することで環状を形成している。前記導電領域１５は導電特性を有している紐１５１が前記靴下本体１２の前記つま先１１と前記かかと１３との間に編み込まれることで形成されている。
【００１２】
導電特性を有している紐１５１はスパッタリング方式により、不活性ガスが充満されている真空システム中で、高圧電場の作用により不活性ガスを電離させて発生したイオン流を導電性金属材料に衝突させ、且つ前記導電性金属材料の原子または分子を紐に沈殿成長させる方式で形成されている。前記導電性金属材料は銅、銀、グラフェンでもよく、よって、導電特性を有している前記紐１５１の表面に導電性金属薄膜が形成され、前記紐１５１が編み込まれることで形成されている前記導電領域１５が導電特性を有する。本考案の前記導電性靴下１０を着用したユーザーは、前記導電領域１５により体内に蓄積した電荷を外に向けて放出し、ユーザーの体内に蓄積している静電気の電圧を降下させる。本考案の前記導電性靴下１０が体内に蓄積した電荷を体外に放出した後、本考案の前記導電靴２０により電荷を地面に伝導させて放出する。詳細な電荷の伝導及び放出動作については後述する。
【００１３】
図４と図５を参照すれば、前記導電靴２０はアッパー２１と、中底２２と、外底２３と、を備えている。前記アッパー２１は足の甲を摩擦から保護するためのタン２１１を有し、前記アッパー２１は足を入れるための靴の履き口２１２を有している。前記中底２２は前記アッパー２１の底部に連接し、前記外底２３は前記中底２２の底部に連接し、前記中底２２には孔部２２１が設けられ、前記外底２３には収容ユニット２３１が設置されている。前記収容ユニット２３１の一端は前記孔部２２１に連通し、他端は前記外底２３の外部に連通し、前記孔部２２１及び前記収容ユニット２３１の設置位置は前記導電性靴下１０の前記導電領域１５に対応する範囲内にある。本実施例では、前記導電性靴下１０の前記導電領域１５はユーザーの足の土踏まず及び土踏まずに対応している足の甲領域を包囲し、前記導電靴２０の前記収容ユニット２３１は前記外底２３のほぼ中間箇所に設置され、前記孔部２２１は前記中底２２のほぼ中間箇所に設けられている。導電装置３０は導電性ブロック３１と、複数本の導線３２と、導電性テープ３３と、を含み、前記導電性ブロック３１は導電材料で製造され、凹部３１１及び前記凹部３１１に連通している複数のスルーホール３１２を有している。前記導電性ブロック３１は前記収容ユニット２３１に設置され、各前記導線３２の両端は前記凹部３１１を経由して２つの前記スルーホール３１２、前記収容ユニット２３１、及び前記中底２２の前記孔部２２１を貫通した後に前記アッパー２１内部の中間箇所に進入し、且つ前記靴の履き口２１２箇所に向けて延設されている。各前記導線３２の両端は前記凹部３１１を経由して２つの前記スルーホール３１２を貫通する際に環状の接地部３２１を形成し、地面に電気的に接触させて電荷を放出する作用を提供する。また、前記導電性テープ３３は前記中底２２の孔部２２１及び複数本の前記導線３２を覆うように接着し、前記導電性テープ３３は少なくとも一側面に導電性粘着剤が塗布され、前記導電性テープ３３は複数本の前記導線３２に沿って設置されていると共に複数本の前記導線３２を固定するために用いられている。よって、ユーザーが本考案に係る静電気防止用履物装置１００を着用すると、前記導電靴２０の前記導線３２と前記導電性靴下１０の前記導電領域１５とが接触すると共に導電回路が構成される。
【００１４】
図６と図７は本考案に係る静電気防止用履物装置の他の実施例を示し、前述の第一実施例との差異は、各前記導線３２の両端が前記凹部３１１を経由すると共に２つの前記スルーホール３１２、前記収容ユニット２３１、及び前記中底２２の前記孔部２２１を貫通した後に前記アッパー２１内部の中間箇所に進入し、且つ前記導電靴２０の前端に向けて延伸するように前記タン２１１の内側に付着されている。前記導電性テープ３３は前記中底２２の孔部２２１及び複数本の前記導線３２を覆うように接着し、前記導電性テープ３３は少なくとも一側面に導電性粘着剤が塗布され、前記導電性テープ３３は複数本の前記導線３２に沿って設置され、複数本の前記導線３２を固定するために用いられている。
【００１５】
上述の本考案に係る静電気防止用履物装置１００は、ユーザーの足に前記導電性靴下１０を着用した後に前記導電靴２０内に入れ、前記導電性靴下１０の前記導電領域１５は前記靴下本体１２の上下左右の四方の周面を包囲して環状を形成し、前記導電性靴下１０の前記導電領域１５はユーザーの足の土踏まず及び土踏まずに対応している足の甲領域を包囲している。前記導電靴２０の前記導電性テープ３３は前記導線３２を被覆し、前記導電靴２０の前記アッパー２１内部から、且つ前記中底２２の中間部位箇所から前記導電靴２０の前記靴の履き口２１２箇所に向けて延設され、前記導電靴２０の前端に向けて延伸するように前記アッパー２１の内側に付着されていると共に継続して延伸するように前記タン２１１の部位に付着されている。これにより、ユーザーの足に前記導電性靴下１０を着用して前記導電靴２０のアッパー２１内部に進入させると、前記導電性靴下１０の前記導電領域１５の下部が前記アッパー２１内部、前記中底２２を貫通する前記導電性テープ３３及び前記導線３２に接触し、前記導電領域１５の左右または上部が前記導電性テープ３３及び前記導線３２に接触し、前記導電靴２０の前記導電装置３０及び前記導電性靴下１０の前記導電領域１５により導電回路が構成される。よって、ユーザーの足に本考案に係る静電気防止用履物装置１００を着用すると、ユーザーの体内に蓄積している電荷が前記導電性靴下１０の前記導電領域１５、前記導電靴２０の前記導電装置３０の前記導電性テープ３３及び前記導線３２、及び接地部３２１を順に通過して地面に伝導され、前記導電靴２０の前記導線３２及び前記導電性靴下１０の導電特性を有する紐１５１により、体内に蓄積した電荷が放出され、ユーザーの体内に蓄積する静電気電圧を降下させ、静電気の放電に起因する様々な危険を回避する効果を達成させている。
【００１６】
本考案は、その精神又は主要な特徴から逸脱することなく、他のいろいろな形態で実施することができる。そのため、上述の実施形態はあらゆる点で単なる例示に過ぎず、限定的に解釈してはならない。本考案の範囲は特許請求の範囲によって示すものであって、明細書本文には何ら拘束されない。更に、実用新案登録請求の範囲の均等範囲に属する変形や変更は、すべて本考案の範囲内のものである。
【符号の説明】
【００１７】
１００  静電気防止用履物装置
１０  導電性靴下
１１  つま先
１２  靴下本体
１３  かかと
１４  履き口
１５  導電領域
１５１  紐
２０  導電靴
２１  アッパー
２１１  タン
２２  中底
２２１  孔部
２３  外底  
２３１  収容ユニット
３０  導電装置
３１  導電性ブロック
３１１  凹部
３１２  スルーホール
３２  導線
３２１  接地部
３３  導電性テープ
【図１】
0003232818.tif 000003
【図２】
0003232818.tif 000004
【図３】
0003232818.tif 000005
【図４】
0003232818.tif 000006
【図５】
0003232818.tif 000007
【図６】
0003232818.tif 000008
【図７】
0003232818.tif 000009